(57)【要約】【課題】本発明は、パネル状のＬＥＤ照明灯（Ｐ）においてＬＥＤ照明灯（Ｐ）から生じる熱を外気に放出する、ＬＥＤ照明灯（Ｐ）の照明灯固定用周囲枠（Ｓ）をヒートシンク部とすることにより、ＬＥＤ照明灯（Ｐ）から生じる熱を放出して、前記熱によりＬＥＤの寿命を低下させることのないＬＥＤ照明（Ｐ）を製作し提供することにある。【解決手段】本発明は、パネル状のＬＥＤ照明灯において、押し出し材からなるＬＥＤ照明灯（Ｐ）の照明灯固定用周囲枠（Ｓ）をヒートシンク部とし、ＬＥＤ照明灯から生じる熱を伝熱及び放出する、押し出し材からなる前記ＬＥＤ照明灯（Ｐ）のＬＥＤ照明灯本体部（１）を照明灯固定用周囲枠（Ｓ）にばねの力により均一の圧力で密着させることにより、ＬＥＤ照明灯（Ｐ）から生じる熱を均一に前記ＬＥＤ照明灯（Ｐ）のＬＥＤ照明灯本体部（１）からヒートシンク部である照明灯固定用周囲枠（Ｓ）に伝熱し外気に放出する。【選択図】図８
2011100704.tif 000002
【特許請求の範囲】
【請求項１】
パネル状のＬＥＤ照明灯（Ｐ）を形成する押し出し材からなるＬＥＤ照明灯本体（１）又は押し出し材からなる前記ＬＥＤ照明灯（Ｐ）を固定する照明灯固定用周囲枠（Ｓ）に設けた、溝（Ｇｖ）にばねを形成し、前記ＬＥＤ照明灯（Ｐ）を前記照明灯固定用周囲枠（Ｓ）に形成された対応する溝（６）に挿入することにより前記ＬＥＤ照明灯本体部（１）を照明灯固定用周囲枠（Ｓ）にばねの力により均一の圧力で密着させることにより放熱性を増加させることを特徴とするＬＥＤ照明灯。
【請求項２】
ＬＥＤ照明灯（Ｐ）を固定する押し出し材からなる照明灯固定用周囲枠（Ｓ）に設けた、溝（Ｇｖ）にばねを形成し、前記ＬＥＤ照明灯（Ｐ）を前記照明灯固定用周囲枠（Ｓ）に設けた対応する溝（６）に挿入することにより前記ＬＥＤ照明灯本体部（１）を照明灯固定用周囲枠（Ｓ）にばねの力により均一の圧力で密着させることにより放熱性を増加させることを特徴とするＬＥＤ照明灯。
【発明の詳細な説明】
【技術分野】
【０００１】本発明は、ＬＥＤ照明灯の構造として使用される。
【技術背景】
【０００２】ＬＥＤを用いた照明灯において天井や壁などに貼り付けて使用するパネル状のＬＥＤ照明灯（Ｐ）は通常、発光部をガラス又はアクリル板で形成されている、そのパネル状の照明灯（Ｐ）の厚み（Ｔ）を極力薄いものにしようとすると、パネルの背面は壁や天井に接しているのでＬＥＤ照明灯（Ｐ）点灯時においてＬＥＤから生じる熱は、発光部を形成するアクリル部分や、接している壁及び天井またはＬＥＤ照明灯（Ｐ）の照明灯固定用周囲枠（Ｓ）のアルミニュームなどにより形成されている金属部から外気に放出されていくが、通常壁や天井及び前記アクリル部は熱伝導率が低いため、ＬＥＤからの熱を瞬時に放出するには困難であり、またパネル状のＬＥＤ照明灯（Ｐ）は厚み（Ｔ）を薄くすると外気と接しているＬＥＤ照明灯（Ｐ）の照明灯固定用周囲枠（Ｓ）を形成する熱伝導率の高く熱放出に有効な金属部面積はわずかなものとなり、この部分からの放熱も困難なものとなるので、ＬＥＤの温度が上昇しＬＥＤ自体の寿命を低下させるおそれがあった。
【発明の開示】
【発明が解決しようとする課題】
【０００３】本発明は、パネル状のＬＥＤ照明灯（Ｐ）においてＬＥＤ照明灯（Ｐ）から生じる熱を外気に放出する、ＬＥＤ照明灯（Ｐ）の照明灯固定用周囲枠（Ｓ）をヒートシンク部とすることにより、ＬＥＤ照明灯（Ｐ）から生じる熱を放出して、前記熱によりＬＥＤの寿命を低下させることのないＬＥＤ照明（Ｐ）を製作し提供することにある。
【課題を解決するための手段】
【０００４】本発明は、パネル状のＬＥＤ照明灯において、押し出し材からなるＬＥＤ照明灯（Ｐ）の照明灯固定用周囲枠（Ｓ）をヒートシンク部とし、ＬＥＤ照明灯から生じる熱を伝熱及び放出する、押し出し材からなる前記ＬＥＤ照明灯（Ｐ）のＬＥＤ照明灯本体部（１）を照明灯固定用周囲枠（Ｓ）にばねの力により均一の圧力で密着させることにより、ＬＥＤ照明灯（Ｐ）から生じる熱を均一に前記ＬＥＤ照明灯（Ｐ）のＬＥＤ照明灯本体部（１）からヒートシンク部である照明灯固定用周囲枠（Ｓ）に伝熱し外気に放出する。
【発明の効果】
【０００５】ＬＥＤの寿命を低下させることのないＬＥＤ照明灯を提供できる。
【発明を実施するための最良の形態】
【０００６】以下、本発明の実施の形態を、図を使用して説明する。【０００７】図１は、本発明による厚さ（Ｔ）の複数のパネル状ＬＥＤ照明灯（Ｐ）を天井に取り付けた図でありＬＥＤから生じる熱は、主に天井とＬＥＤ照明灯（Ｐ）を接続する押し出し材からなる照明灯固定用周囲枠（Ｓ）から外気に放出される。
図２はアルミニューム押し出し材からなる本発明のＬＥＤ照明灯本体部（１）の押し出し方向から見た図である、（２）は、板ばねをガイドするための溝（Ｇｖ）を形成させかつ前記ＬＥＤ照明灯本体部（１）と壁や天井と接続させるための、ヒートシンク機能を兼ねた照明灯固定用周囲枠（Ｓ）に接続するための接続突起部分（図３にて説明）であり、（ｂｏ）は、前記ＬＥＤ照明灯本体部（１）が天井又は壁などと面する部分である。【０００８】図３における図（１ａ）は、複数のＬＥＤ（３）を、装着したＬＥＤ照明灯本体部（１）に（配線図などは省略）矢印方向にアクリル製の光拡散板（４）を装着する図である、図（２ａ）は、装着後の図である。これが１つのＬＥＤ照明灯（Ｐ）を形成する。
図４は、ＬＥＤ照明灯（Ｐ）に形成された接続用突起部分（２）をアルミニューム押し出し材からなる照明灯固定用金具部である熱放出のヒートシンク部となる照明灯固定用周囲枠（Ｓ）に形成された対応する溝（６）に挿入する図である。（５）は照明灯固定用周囲枠（Ｓ）が壁や天井に接する接触面部である複数の（７）は接続のためのねじ穴である。
図５は、ＬＥＤ照明灯（Ｐ）を照明灯固定用周囲枠（Ｓ）に挿入後の挿入方向からの図である、ＬＥＤから放出された熱は、主に、ＬＥＤ照明灯本体部（１）の外気に面している部分、及びＬＥＤ照明灯本体部（１）から照明灯固定用周囲枠（Ｓ）に接触面から伝熱され照明灯固定用周囲枠（Ｓ）の外気に面している部分から放出される。ＬＥＤ照明灯本体部（１）の熱放出量を増加させたい場合は、照明灯固定用周囲枠（Ｓ）のＦｉｎの長さを調整すれば熱放出面積を調整できる。しかしながら、ＬＥＤ照明灯本体部（１）の接続用突起部分（２）は挿入されただけでは、照明灯固定用周囲枠（Ｓ）と均一に接しているわけではないので、ＬＥＤ照明灯本体部（１）から照明灯固定用周囲枠（Ｓ）への伝熱（熱伝導）も均一に行われなくなり、部分的に温度が高くなる危険性がある。
そのためＬＥＤ照明灯本体部（１）の接続用突起部分（２）と照明灯固定用周囲枠（Ｓ）を均一に接触させるための力が必要となる。
図６の図（１ｂ）は、ＬＥＤ照明灯本体部（１）の接続用突起部分（２）と照明灯固定用周囲枠（Ｓ）を均一に接触させるためのばね高さ（ｈ１）の板ばね（Ｂ）の正面図である。板ばね（Ｂ）は接続用突起部分（２）に形成された溝（Ｇｖ）に挿入するする滑り止め（１０）を備えたガイド部（８）と、接続用突起部分（２）と照明灯固定用周囲枠（Ｓ）を均一の力で接触させるためのばね部（９）で形成されている、図（２ｂ）は、板ばね（Ｂ）の側面図、図（３ｂ）は、板ばね（Ｂ）の背面図である。【０００９】図７の図（１ｃ）は、複数の板ばね（Ｂ）を接続用突起部分（２）の溝（Ｇｖ）に挿入した挿入方向からの図である、図（２ｃ）は一部省略した、その側面図である。
図８は、複数の板ばね（Ｂ）を取り付けたＬＥＤ照明灯本体部（１）を照明灯固定用周囲枠（Ｓ）に挿入した挿入方向の図である板ばね（Ｂ）のばね高さ（ｈ１）は、対応する幅（ｈ２）より大きいので、ＬＥＤ照明灯本体部（１）の接続用突起部分（２）と照明灯固定用周囲枠（Ｓ）を密着させる力が矢印方向に生じ、接続用突起部分（２）と照明灯固定用周囲枠（Ｓ）の接触部分を均一な力で接触させることができる。この例においては、板ばね（Ｂ）は、ＬＥＤ照明灯本体部（１）の接続用突起部分（２）に設けたが、反対側である照明灯固定用周囲枠（Ｓ）側に設けてもよい。
【図面の簡単な説明】
【００１０】
【図１】天井に取り付けられたＬＥＤ照明灯（Ｐ）
【図２】本発明によるＬＥＤ照明灯本体部（１）
【図３】（１ａ）ＬＥＤ照明灯本体部（１）に光拡散板（４）を取り付ける斜視図  （２ａ）完成したＬＥＤ照明灯斜視図（Ｐ）
【図４】ＬＥＤ照明灯（Ｐ）を照明灯固定用金具部である照明灯固定用周囲枠（Ｓ）に挿入する図
【図５】ＬＥＤ照明灯（Ｐ）を照明灯固定用周囲枠（Ｓ）に挿入後の挿入方向からの図である
【図６】（１ｃ）板ばね正面図  （２ｃ）板ばね側面図  （３ｃ）板ばね背面図
【図７】（１ｃ）は、複数の板ばね（Ｂ）を接続用突起部分（２）の溝（Ｇｖ）に挿入した挿入方向からの図  （２ｃ）一部省略した、図（１ｃ）の側面図である
【図８】複数の板ばね（Ｂ）を取り付けたＬＥＤ照明灯本体部（１）を周囲枠（５）に挿入した挿入方向の図
【符号の説明】
【００１１】１．ＬＥＤ照明灯本体部
２．接続突起部分
３．ＬＥＤ
４．光拡散板
５．照明灯固定用周囲枠（Ｓ）の天井に接触面部分
６．照明灯固定用周囲枠（Ｓ）に形成された対応する溝
７．ねじ穴
８．板ばねガイド部
９．ばね部
１０．ばね部の滑り止め
Ｂ  板ばね
Ｐ  パネル状ＬＥＤ照明灯
Ｓ  照明灯固定用周囲枠
Ｔ  パネル状ＬＥＤ照明灯厚み
Ｇｖ  溝
ｂｏ  ＬＥＤ照明灯本体部（１）が天井又は壁などと面する部分である。
Ｆｉｎ  照明灯固定用周囲枠の放熱量調整幅
ｈ１  ばね高さ
ｈ２  パネル状ＬＥＤ照明灯を照明灯固定用周囲枠（Ｓ）に挿入後のばね高さ
【図１】
2011100704.tif 000003
【図２】
2011100704.tif 000004
【図３】
2011100704.tif 000005
【図４】
2011100704.tif 000006
【図５】
2011100704.tif 000007
【図６】
2011100704.tif 000008
【図７】
2011100704.tif 000009
【図８】
2011100704.tif 000010